(57)【要約】      （修正有）【課題】照明に対する配慮を抑制できる吸音楔を提供する。【解決手段】吸音楔２は、直方体形状に形成され、側面部を有する基部２１と、前記側面部上に配置され、前記側面部に近づくにしたがって拡幅する等脚台形角柱状に形成されたテーパー部２２と、を備え、基部２１とテーパー部２２とは、白色のグラスウールによって一体に形成されることを特徴とする。【選択図】図４
0003210751.tif 000002
【実用新案登録請求の範囲】
【請求項１】
直方体形状に形成され、側面部を有する基部と、
前記側面部上に配置され、前記側面部に近づくにしたがって拡幅する等脚台形角柱状に形成されたテーパー部と、を備え、
前記基部と前記テーパー部とは、白色のグラスウールによって一体に形成されることを特徴とする吸音楔。
【請求項２】
前記グラスウールは、アクリル樹脂系バインダによって相互に接着された複数のガラス繊維によって構成されることを特徴とする請求項１に記載の吸音楔。
【請求項３】
前記基部と前記テーパー部とを覆う白色の被覆材をさらに備えることを特徴とする請求項１または２に記載の吸音楔。
【請求項４】
請求項１乃至３のいずれかの吸音楔を、壁面及び天井面に敷設したことを特徴とする無響室。
【考案の詳細な説明】
【技術分野】
【０００１】
本考案は吸音楔に関する。
【背景技術】
【０００２】
従来、フェノール樹脂から成るバインダによって成形されたグラスウールと、これを使用した吸音楔が知られている。
【先行技術文献】
【特許文献】
【０００３】
【特許文献１】特開２００３−１９５８６９号公報
【考案の概要】
【考案が解決しようとする課題】
【０００４】
従来のグラスウールを用いた吸音楔は、室内にこれを用いた場合、室内の明るさ確保のため、照明に特別な配慮が必要であった。本開示においては、室内に用いた場合、吸音性能を落とさずに照明に対する配慮を抑制できる吸音楔を提供することを目的とする。
【課題を解決するための手段】
【０００５】
上記課題を解決するため、直方体形状に形成され、側面部を有する基部と、前記側面部上に配置され、前記側面部に近づくにしたがって拡幅する等脚台形角柱状に形成されたテーパー部と、を備え、前記基部と前記テーパー部とは、白色のグラスウールによって一体に形成されることを特徴とする吸音楔を提供する。
【０００６】
前記グラスウールは、アクリル樹脂系バインダによって相互に接着された複数のガラス繊維によって構成されることが好ましい。
【０００７】
前記基部と前記テーパー部とを覆う白色の被覆材をさらに備えることが好ましい。
【０００８】
また、前記吸音楔を、壁面及び天井面に敷設した無響室を提供する。
【考案の効果】
【０００９】
上記構成によれば、室内に用いた場合、吸音性能を落とさずに照明に対する配慮を抑制できる吸音楔を提供できる。
【図面の簡単な説明】
【００１０】
【図１】本考案の実施形態による無響室の断面図。
【図２】本考案の実施形態による無響室の平面図。
【図３】本考案の実施形態による無響室の天井伏図。
【図４】本考案の実施形態による吸音楔の（ａ）側面図及び（ｂ）正面図。
【図５】本考案の変形例による無響室の断面図。
【考案を実施するための形態】
【００１１】
＜無響室＞
以下、本考案の実施形態及び変形例を添付図面を参照して説明する。
【００１２】
図１〜図４は実施形態を示すものあって、図中、同一の符号を付した部分は同一物を表わす。
【００１３】
図１乃至３に無響室１を示す。無響室１は、工業製品の作動音測定等に用いるため、音響無反射の空間が必要なため、室内での音の反響を極力小さく設計した部屋である。無響室１の内壁は、吸音部材である吸音楔２で覆われ、室内での音響が防止されている。また、室外からの音の伝達も、遮断または抑制されるように設計されている。なお、本考案における「無響室」の定義は、床面に吸音楔２を敷設した室に限らず、床面に吸音楔２を敷設しない、いわゆる半無響室と呼称される室も含むものとする。
【００１４】
無響室１は直方体形状の無窓室であり、床１１、壁体１３、外扉１９Ａと内扉１９Ｂ、及び天井１７によって主に構成される。また、無響室１は、建物の躯体１５の内部に配置される。
【００１５】
壁体１３は、主に遮音ボードからなり、無響室１の壁面を構成する。壁体１３は、躯体１５に対して直接接触しないように配置され、浮遮音層としての機能を備える。そのため、無響室１に発生した音及び振動の躯体１５への伝達は遮断、抑制される。壁体１３には、二重扉が開閉可能に設けられる。詳細には、外扉１９Ａと内扉１９Ｂとが設けられ、無響室１への人や物資の出入りを可能としている。
【００１６】
天井１７は、吊ボルト１６及び防振ゴム１８によって、野縁を介して躯体１５から吊下げられる。振動を吸収する防振ゴム１８を用いることにより、無響室１外部に発生した音及び振動は、遮断または抑制され、無響室１に対する伝達が防止される。
【００１７】
床１１は、防振ゴム１２を介して躯体１５の上方に水平に設置される。床１１の側面部は躯体１５と直接接触しないように所定の間隔をあけて配置される。このため、無響室１外部に発生した音及び振動は遮断、抑制され、無響室１に対する伝達が防止される。
【００１８】
無響室１の上部には、照明１４が設置される（図３）。照明１４は、無響室１の天井１７に固定され、下方に突出または延出する。なお、照明１４には、白熱灯やハロゲンランプ、ＬＥＤなど、無響室１の用途及び設計条件によって任意の種類のものが使用される。
【００１９】
壁体１３、内扉１９Ｂ及び天井１７の室内側の面には、図１乃至３に示すように、複数の吸音楔２が縦横に敷設される。吸音楔２は、基部２１及びテーパー部２２を有する本体部２３と、本体部２３を覆うコーディランクロス２４とを備える。コーディランクロス２４は、白色の布地であり、吸音楔２の吸音性能を低下させずにガラス繊維の飛散を防止する機能を有する。コーディランクロス２４は、本発明の被覆材に相当する。
【００２０】
本体部２３は、グラスウールによって一体的に形成される。基部２１は、壁体１３の内面に固定される。本体部２３は、テーパー部２２が無響室１の内部に向くように配置される。また、吸音楔２は、図１乃至図３に示すように、テーパー部２２の方向が、隣り合う吸音楔２との間では異なる方向となるように配置される。
【００２１】
＜吸音楔＞
吸音楔２の詳細を図４を用いて述べる。なお、図４においては、説明の簡略化のため、無響室１における上下等の方向とは別途独立して方向を規定し、図４に示す。即ち、図４においては、基部２１の上方にテーパー部２２が配置される。基部２１は直方体形状を備え、基部２１の上部側面上に３つのテーパー部２２が配置される。テーパー部２２の長辺は左右方向に延出する。テーパー部２２は、楔状または等脚台形角柱の形状を有し、左右側面視及び断面視において等脚台形を形成する。左右側面視においてテーパー部２２は、その台形形状の下底が基部２１の上側面に接続し、上底が基部２１の上方に位置する。またテーパー部２２は、左右側面視において、上方から下方へ向けて、すなわち基部２１に近づくにしたがって拡幅する。換言すればテーパー部２２は、基部２１から上方に突出し、突出方向に向かうにしたがってテーパーが掛かり、幅が狭まるように形成される。このような形状を有することで、テーパー部２２は、隣り合うテーパー部２２との間で音の反射を抑え、減衰させながら吸音する機能を有する。
【００２２】
なお、吸音楔２は、基部２１に対して１つのテーパー部２２を配置する形態ともできるし、３つに限らず任意の数のテーパー部２２を配置する形態とすることも可能である。
【００２３】
本体部２３に使用されるグラスウールは、複数の微細なガラス繊維を、相互間に隙間を形成しつつ集成することによって構成される。詳細には、本体部２３に用いられるグラスウールは、複数の微細なガラス繊維を、バインダによって接着し、さらに焼成することによって成形されたものである。なお、本実施形態においては、本体部２３のグラスウールに対してアクリル樹脂系のバインダが用いられる。
【００２４】
＜従来の吸音楔との比較１＞
従来の吸音楔の一つとして、フェノール樹脂を用いたバインダによってガラス繊維を接着したグラスウールを使用した吸音楔がある。この従来のグラスウールは、フェノール系バインダが焼成工程において変色するため、彩度の高い色を有する。したがって、本体部も、グラスウールと同じ色を有する。また、吸音楔の本体部にコーディランクロスを被せた場合であっても、照明光が当たると本体部の色が透けて見えることとなる。このため、白色の吸音楔に比べた場合、上記の従来の吸音楔は、照明の光の反射が抑えられ、全体的に黄色系の色となる。そのため、光を吸収する性質が大きい。
【００２５】
なお、その種類によるばらつきが大きく、例外等もあるものの、フェノール系バインダを用いたグラスウール及びこれを用いた吸音楔本体部の色は、概して、マンセル表色系（ＪＩＳ  Ｚ  ８７２１）の色相環において５ＲＰ〜５ＹＲ〜１０Ｙという範囲での色相を有し、４．０以上９．０以下の明度、及び４．０以上の彩度を有する。
【００２６】
本実施形態による吸音楔２では、グラスウールに使用するバインダが、焼成工程において変色しない。そのため、本体部２３は白色である。換言すれば、本実施形態による本体部２３は、従来に比べて彩度が低く、かつ明度の高い色を備える。
【００２７】
また吸音楔２では、従来と同様に、本体部２３が複数のガラス繊維の集成によって構成されるため、従来の吸音楔と同等の吸音性能を発揮する。
【００２８】
本実施形態において、本体部２３及びこれを構成するグラスウールが備える白色の明度は、マンセル表色系において８.０以上１０．０以下の範囲内と定義される。また彩度について述べると、本体部２３及びこれを構成するグラスウールの有する白色は、無彩色であることが好ましいが、任意の色相で０以上１．０以下の範囲において彩度を有しても良い。
【００２９】
吸音楔２及び本体部２３が白色を備えることで、無響室１内における光の反射量が増え、室内の照度を向上させることが可能となる。そのため、従来の吸音楔を用いた場合に比べ、照明１４の数又は大きさを減ずることが可能である。
【００３０】
ここで、無窓室である無響室１において、照明１４は必須の設備であるが、同時に音の反射材となってしまう。そのため、無響室１における照明１４の数又は大きさは、なるべく減少させることが望ましい。
【００３１】
吸音楔２を無響室１に用いた場合、照明光の反射が大きいため、照明１４の数又は大きさを減ずることができる。そのため、室内での音の反射を減少させ、無響室１の吸音性能を向上させることが可能となる。あるいは、照明１４に用いるエネルギー量を減少させ、エネルギー効率の良い室とすることが可能となる。また、照明１４の反射光が色味を帯びる虞がないため、照明１４の光色に対する配慮が不要である。加えて、本体部２３の色が透けても光が吸収される虞がないことから、コーディランクロス２４をガラス繊維の飛散防止という目的を超えて厚くする必要がない。そのため、吸音楔２の重量及び製造コストを抑えることができる。
【００３２】
＜従来の吸音楔との比較２＞
従来におけるもう一種の吸音楔として、ポリエステル繊維を用いた吸音楔がある。このポリエステル繊維を用いた吸音楔は、白色ではあるものの、グラスウールを用いた吸音楔２に比較して吸音性能が劣る。そのため、ポリエステル繊維の吸音楔において吸音楔２と同等の吸音性能を得るためには、吸音楔のサイズまたは密度の変更が必要となる。このように変更を行った場合、無響室内の空間を狭めたり、室の重量を増加させたり等、無響室全体にも設計変更が発生するため、無響室の設計条件を満足できない場合も生じ得る。
【００３３】
本実施形態の吸音楔２は、ポリエステル繊維を用いた上記吸音楔に比較し、グラスウールの備える高い吸音性能を保持する。したがって、照明１４の大きさ又は数を減少させるという効果を維持しつつ、吸音楔２そのものの吸音性能を、従来と同等に得ることが可能である。したがって、ポリエステル繊維を用いた従来の吸音楔に比較して、サイズや密度等の条件を変更せずとも、吸音楔２は高い吸音性能を得ることができる。すなわち、吸音楔２を用いることにより、吸音性能の高い無響室１とすることができる。
【００３４】
以上、本発明を実施例に基づいて説明したが、本発明は上述の実施例に限定されるものではなく、その趣旨を逸脱しない範囲内で種々の変更が可能である。
【００３５】
＜変形例＞
上記の実施形態では、吸音楔２は床１１には配置されない構成であった。しかし、以下に示す変形例のように、床１１の室内側表面を覆うように吸音楔２を敷設し、室内の全方向に吸音機能を持たせた無響室１としても良い。
【００３６】
図５に、変形例としての無響室１０１の断面図を示す。無響室１０１の床１１の室内側表面には吸音楔２が敷設される。また、床１１の上方において浮床１１Ａが配置され、歩行用として、または、資材及び実験体の設置のために使用される。浮床１１Ａは、図示せぬ束材などによって支持される。
【００３７】
浮床１１Ａは、主にグレーチングで構成され、複数の穴が形成されている。そのため、浮床１１Ａは、その上方で発生した音を、下方へと通過させることが可能である。下方へ通過した音は、床１１に敷設された吸音楔２によって吸収される。そのため、無響室１０１は、下方向を含め、室内の全方向において吸音性能を備える。
【００３８】
このような構成においても、上記実施の形態と同様の効果を得ることが可能である。すなわち、照明光の反射が大きいため、照明１４の数又は大きさを減ずることができる。そのため、室内での音の反射を減少させ、無響室１０１の吸音性能を向上させることが可能となる。あるいは、照明１４に用いるエネルギー量を減少させ、エネルギー効率の良い室とすることが可能となる。また、照明１４の反射光が色味を帯びる虞がないため、照明１４の光色に対する配慮が不要である。加えて、本体部２３の色が透けても光が吸収される虞がないことから、コーディランクロス２４をガラス繊維の飛散防止という目的を超えて厚くする必要がない。そのため、吸音楔２の重量及び製造コストを抑えることができる。また、吸音楔２を床１１の室内側表面にも用いることにより、吸音性能の高い無響室１０１とすることができる。
【符号の説明】
【００３９】
１、１０１      無響室
２      吸音楔
１１    床
１１Ａ  浮床
１２    防振ゴム
１３    壁体
１４    照明
１５    躯体
１６    吊ボルト
１７    天井
１８    防振ゴム
１９Ａ  外扉
１９Ｂ  内扉
２１    基部
２２    テーパー部
２３    本体部
２４    コーディランクロス
【図１】
0003210751.tif 000003
【図２】
0003210751.tif 000004
【図３】
0003210751.tif 000005
【図４】
0003210751.tif 000006
【図５】
0003210751.tif 000007